(57)【要約】【課題】フレームレートを変更しながら撮影した動画を再生する場合に、聞き取りづらい音声が再生されないようにする。【解決手段】カメラ（１００）の制御部（１３）は、動画撮影中のフレームレートが所定のフレームレートでないと判断した場合は、集音手段（４）による音声の集音を継続するとともに、撮影手段（２）により撮影された動画に音声の代わりとなるデータを付加して記録手段（７）に記録する機能を備える。これによれば、動画撮影中にフレームレートが変更された場合において、聞き取りづらい音声が再生されないようになるという効果が期待できる。【選択図】図１
2011035637.tif 000002
【特許請求の範囲】
【請求項１】
動画を撮影する撮影手段と、
前記撮影手段による動画撮影中に音声を集音する集音手段と、
前記撮影手段による動画撮影中に前記動画のフレームレートを変更する変更手段と、
前記変更手段によって変更されたフレームレートが所定のフレームレートか否かを判断する判断手段と、
前記撮影手段により撮影された動画及び前記集音手段により集音された音声を記録する記録手段と、
前記判断手段により所定のフレームレートでないと判断された場合は、前記集音手段による音声の集音を継続するとともに、前記撮影手段により撮影された動画に音声の代わりとなるデータを付加して前記記録手段に記録する記録制御手段と、
を備えることを特徴とする撮影装置。
【請求項２】
前記記録制御手段は、
前記音声の代わりとなるデータとして、無声音として出力されるダミー音声を付加すること、を特徴とする請求項１に記載の撮影装置。
【請求項３】
前記記録制御手段は、
前記判断手段によって所定のフレームレートでないと判断された場合は、前記集音手段に集音した音声を前記動画に付加せずに削除すること、を特徴とする請求項１又は２に記載の撮影装置。
【請求項４】
前記記録手段に記録された動画を再生する再生手段を備え、
前記所定のフレームレートは、前記再生手段によって前記動画を再生する際に通常設定される再生フレームレートであること、を特徴とする請求項１乃至３のいずれか一項に記載の撮影装置。
【請求項５】
動画を撮影する撮影ステップと、
前記撮影ステップによる動画撮影中に音声を集音する集音ステップと、
前記撮影ステップによる動画撮影中に前記動画のフレームレートを変更する変更ステップと、
前記変更ステップによって変更されたフレームレートが所定のフレームレートか否かを判断する判断ステップと、
前記撮影ステップにより撮影された動画及び前記集音ステップにより集音された音声を記録する記録ステップと、
前記判断ステップにより所定のフレームレートでないと判断された場合は、前記集音ステップによる音声の集音を継続するとともに、前記撮影ステップにより撮影された動画に音声の代わりとなるデータを付加して前記記録ステップにより記録する記録制御ステップと、
を備えることを特徴とする撮影方法。
【請求項６】
動画を撮影する撮影手段を備えたコンピュータを、
前記撮影手段による動画撮影中に音声を集音する集音手段と、
前記撮影手段による動画撮影中に前記動画のフレームレートを変更する変更手段と、
前記変更手段によって変更されたフレームレートが所定のフレームレートか否かを判断する判断手段と、
前記撮影手段により撮影された動画及び前記集音手段により集音された音声を記録する記録手段と、
前記判断手段により所定のフレームレートでないと判断された場合は、前記集音手段による音声の集音を継続するとともに、前記撮影手段により撮影された動画に音声の代わりとなるデータを付加して前記記録手段に記録する記録制御手段、
として機能させるための撮影プログラム。
【発明の詳細な説明】
【技術分野】
【０００１】
本発明は、撮影装置、撮影方法及び撮影プログラムに関する。
【背景技術】
【０００２】
従来より、デジタルビデオカメラ等に代表されるように、動画と音声とを同時に記録することができる撮影装置が普及している。このような撮影装置においては、動画と音声との再生タイミングを合わせるため、圧縮符号化及びパケット化された音声データを動画と多重化し、この音声データのヘッダ情報に同期情報を埋め込んだ形でファイル化する。また、動画撮影中にフレームレートを任意に変更することができ、この変更されたフレームレートに合わせて録音された音声のサンプルレートを変更させ、再生の際には音声の再生に違和感が生じないようにする技術が提案されている（例えば、特許文献１参照）。
【先行技術文献】
【特許文献】
【０００３】
【特許文献１】特開２００４−１８０２８９０号公報
【発明の概要】
【発明が解決しようとする課題】
【０００４】
しかしながら上記の従来技術では、変更されたフレームレートに合わせて音声のサンプルレートを変更するため、高フレームレート（例えば６０ｆｐｓ）で記録した音声付き動画を、通常のフレームレート（例えば３０ｆｐｓ）で再生した際には、通常再生速度でも１／２倍速になり、音声が聞き取りづらくなってしまうという課題があった。また、動画記録中に任意に高フレームレートと通常のフレームレートを切り替えることができ、且つ、再生時には通常のフレームレートのみで再生するような場合、動画撮影中におけるフレームレートの切り替えタイミングの前後で音声が急激に聞き取りづらくなるという問題も予期される。
【０００５】
本発明の目的は、フレームレートを変更しながら撮影した動画を再生する場合に、聞き取りづらい音声が再生されないようにした撮影装置、撮影方法及び撮影プログラムを提供することにある。
【課題を解決するための手段】
【０００６】
請求項１に記載の発明に係わる撮像装置は、動画を撮影する撮影手段と、前記撮影手段による動画撮影中に音声を集音する集音手段と、前記撮影手段による動画撮影中に前記動画のフレームレートを変更する変更手段と、前記変更手段によって変更されたフレームレートが所定のフレームレートか否かを判断する判断手段と、前記撮影手段により撮影された動画及び前記集音手段により集音された音声を記録する記録手段と、前記判断手段により所定のフレームレートでないと判断された場合は、前記集音手段による音声の集音を継続するとともに、前記撮影手段により撮影された動画に音声の代わりとなるデータを付加して前記記録手段に記録する記録制御手段と、を備える。
【０００７】
請求項２に記載の発明に係わる撮像装置は、前記記録制御手段は、前記音声の代わりとなるデータとして、無声音として出力されるダミー音声を付加することを特徴とする。
【０００８】
請求項３に記載の発明に係わる撮像装置は、前記記録制御手段は、前記判断手段によって所定のフレームレートでないと判断された場合は、前記集音手段に集音した音声を前記動画に付加せずに削除すること、を特徴とする。
【０００９】
請求項４に記載の発明に係わる撮像装置は、前記記録手段に記録された動画を再生する再生手段を備え、前記所定のフレームレートは、前記再生手段によって前記動画を再生する際に通常設定される再生フレームレートであること、を特徴とする。
【００１０】
請求項５に記載の発明に係わる撮像方法は、動画を撮影する撮影ステップと、前記撮影ステップによる動画撮影中に音声を集音する集音ステップと、前記撮影ステップによる動画撮影中に前記動画のフレームレートを変更する変更ステップと、前記変更ステップによって変更されたフレームレートが所定のフレームレートか否かを判断する判断ステップと、前記撮影ステップにより撮影された動画及び前記集音ステップにより集音された音声を記録する記録ステップと、前記判断ステップにより所定のフレームレートでないと判断された場合は、前記集音ステップによる音声の集音を継続するとともに、前記撮影ステップにより撮影された動画に音声の代わりとなるデータを付加して前記記録ステップにより記録する記録制御ステップと、を備える。
【００１１】
請求項６に記載の発明に係わる撮像プログラムは、動画を撮影する撮影手段を備えたコンピュータを、前記撮影手段による動画撮影中に音声を集音する集音手段と、前記撮影手段による動画撮影中に前記動画のフレームレートを変更する変更手段と、前記変更手段によって変更されたフレームレートが所定のフレームレートか否かを判断する判断手段と、前記撮影手段により撮影された動画及び前記集音手段により集音された音声を記録する記録手段と、前記判断手段により所定のフレームレートでないと判断された場合は、前記集音手段による音声の集音を継続するとともに、前記撮影手段により撮影された動画に音声の代わりとなるデータを付加して前記記録手段に記録する記録制御手段、として機能させる。
【発明の効果】
【００１２】
本発明によれば、フレームレートを変更しながら撮影した動画を再生する場合に、聞き取りづらい音声が再生されることのない撮影装置、撮影方法及び撮影プログラムを提供することができる。
【図面の簡単な説明】
【００１３】
【図１】本発明の一実施の形態に係わる撮像装置の機能を備えたデジタルカメラの回路構成を示すブロック図である。
【図２】動画撮影中にフレームレートが変更されたときの動画データと音声データとの関係を示す説明図である。
【図３】図１のデジタルカメラにおいて動画ファイル作成時における制御部の処理内容を示すフローチャートである。
【発明を実施するための形態】
【００１４】
以下、本発明を実施するための形態について、図面に基づいて説明する。
図１は、本発明の一実施の形態に係る画像処理装置として機能するデジタルカメラ１００の回路構成を示す図である。
【００１５】
本実施の形態のデジタルカメラ１００は、基本となる動作モードとして、動画を撮影するための撮影モードと、撮影した画像を再生するための再生モードとを備える。このうち、動画を撮影するための撮影モードは、通常の動画撮影モードのほか、ハイスピード動画撮影モードを備える。このハイスピード動画撮影モードの一つとして、動画撮影中にフレームレートを３０ｆｐｓ（通常のフレームレート）と２１０ｆｐｓ（高フレームレート）との間で変更可能な動画撮影モードが設定されている。本実施の形態は、この動画撮影モードによる動画撮影中において、フレームレートが３０ｆｐｓ−２１０ｆｐｓの間で変更された場合に、聞き取りづらい音声が再生されないようにするものである。
【００１６】
デジタルカメラ１００は、図１に示すように、光学系１と、撮像部２と、記録／再生データ作成部３と、音声入出力部４と、動画一時メモリ５と、音声一時メモリ６と、メモリカード７と、液晶表示装置８と、撮影開始／停止ボタン９と、フレームレート切り替えボタン１０と、再生ボタン１１と、各種操作ボタン１２と、制御部１３と、を備える。
【００１７】
光学系１は、入射した被写体の光を後述の撮像部２に光学像として結像するための光学レンズであり、フォーカスレンズ、ズームレンズ等で構成される。
【００１８】
撮像部２は、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサからなり、光学系１の光軸上に配置されている。撮像部２は、光学系１により収束された撮影光を受光するとともに、受光面に結像された被写体の光学像を光電変換し、アナログの撮像信号として出力する。撮像部２は、動画撮影時に所定のフレームレートで画像を撮像する。後述するように、本実施の形態の動画撮影モードでは、３０ｆｐｓ又は２１０ｆｐｓのフレームレートで画像が撮像される。
【００１９】
また、撮像部２は、上記イメージセンサから出力されたアナログの撮像信号をデジタルの画像データに変換するＡ／Ｄ変換、ガンマ補正、ホワイトバランス補正、輪郭強調等の画像処理を行い、デジタルの画像データとして出力する、図示しない前処理部を備える。この前処理部で処理された画像データは、記録／再生データ作成部３及び制御部１３を経て動画一時メモリ５に一時的に記憶される。本実施の形態における光学系１及び撮像部２は、本発明の撮影手段として機能する。
【００２０】
記録／再生データ作成部３は、撮像部２から出力された画像データや、後述する音声入出力部４で集音された音声データを符号化する回路である。具体的には、例えばＭＰＥＧ（Ｍｏｔｉｏｎ  Ｐｉｃｔｕｒｅ  Ｅｘｐｅｒｔ  Ｇｒｏｕｐ）方式で採用された予測符号化方式を用いた圧縮符号化処理により符号化を行う。後述する動画一時メモリ５に記憶された画像データ及び音声一時メモリ６に記憶された音声データは、例えば３０ｆｐｓの通常のフレームレートのデータとして、撮像された順に圧縮符号化され、メモリカード７に逐次記憶される。
【００２１】
音声入出力部４は、動画撮影中に周囲の音声を集音するマイクや、音声データを音声として出力するスピーカ等から構成される。動画撮影時に集音された音声は、制御部１３において所定の信号処理が施され、音声データとして音声一時メモリ６に記憶される。本実施の形態では、実音声の音声データを動画データに付加しない期間においても、音声データを音声一時メモリ６に記憶し続けるため、動画撮影中は常にマイクがオン状態となっている。
【００２２】
動画一時メモリ５は、撮像部２から出力される動画データをフレーム毎に逐次記憶する画像記録手段である。また、音声一時メモリ６は、音声入出力部４で集音された音声データを逐次記憶する音声記録手段である。
【００２３】
本実施の形態では、まず、動画一時メモリ５にフレーム毎に動画データが記憶され、音声一時メモリ６に音声データが記憶される。そして、動画撮影時のフレームレートが３０ｆｐｓである間は、動画一時メモリ５に記憶された動画データに、音声一時メモリ６に記憶された音声データが付加されてメモリカード７に記憶されていく。
【００２４】
しかし、動画撮影時のフレームレートが２１０ｆｐｓである場合は、動画一時メモリ５に記憶された動画データに、無声音として出力されるダミー音声（ダミーデータ）が付加されてメモリカード７に記憶される。このとき、音声一時メモリ６には、音声入出力部４で集音された音声データが継続して記憶されるが、この音声データは画像データに付加されることなく所定タイミングで順次削除される。すなわち、音声一時メモリ６に記憶された実音声の音声データは、所定時間が経過すると順次削除され、音声一時メモリ６には、常に一定量の最新の音声データのみが記憶される。
【００２５】
メモリカード７は、上述した動画データ及び音声データが記憶される記憶媒体である。メモリカード７に記憶された動画データ及び音声データは、撮影終了が指示されると、所定のヘッダ情報が付加され、動画ファイルとしてファイル化される。本実施の形態における動画一時メモリ５、音声一時メモリ６及びメモリカード７は、本発明の記録手段として機能する。
【００２６】
液晶表示装置８は、図示しないＶＲＡＭ、液晶モニタ、及びその駆動回路等を備える。液晶表示装置８には、撮影待機中又は撮影中におけるスルー画像や、メモリカード７に記憶されている動画等が表示される。本実施の形態における液晶表示装置８は、本発明の再生手段として機能する。撮像部２において動画撮像時に用いられる３０ｆｐｓのフレームレートは、液晶表示装置８で通常設定される再生フレームレートでもある。
【００２７】
撮影開始／停止ボタン９は、ユーザからの撮影開始及び撮影終了の指示を入力する部分である。フレームレート切替えボタン１０は、ユーザからの動画撮影中のフレームレート変更の指示を取得する部分である。再生ボタン１１は、ユーザからの動画等の再生の指示を入力する部分である。各種操作ボタン１２は、ユーザからのデジタルカメラ１００に対する種々の操作指示を入力する部分である。なお、各種操作ボタン１２としては、例えば、撮影モードや再生モードを設定するためのモード設定ボタン、電源スイッチ、ズームキーのほか、デジタルカメラ１００の各種機能や動作内容の設定／変更に際してユーザが操作する操作部材でよい。また、本実施の形態におけるフレームレート切替えボタン１０は、本発明の変更手段として機能する。
【００２８】
制御部１３は、図示しないＣＰＵ、ＲＯＭ、ＲＡＭ、及びその周辺回路により構成され、動画撮影や再生表示等を含むデジタルカメラ１００の全体的な動作を制御している。なお、ＲＯＭには、動画撮影や再生表示等を含む制御を行うためのプログラムが記憶されている。ＲＡＭは、各種制御や演算処理を行う際に一時記憶領域として使用される。本実施の形態における制御部１３は、本発明の判断手段及び記録制御手段として機能する。なお、制御部１３の判断手段及び記録制御手段としての処理内容については、後にフローチャートを参照しながら説明する。
【００２９】
図２は、動画撮影中にフレームレートが変更されたときの動画データと音声データとの関係を示す説明図である。図２では、３０ｆｐｓのフレームレートで動画撮影中に、フレームレートが２１０ｆｐｓに変更され、その後再び３０ｆｐｓのフレームレートに変更された例を時系列に示している。図２に示すフラグは、制御部１３によって処理時に内部メモリのステータスレジスタに書き込まれる。
【００３０】
図２において、録音抑止フラグは、フレームレートの変更に応じて、実音声の音声データを動画データに付加することを抑止するか否かを判断するためのフラグである。抑止するときは「ＴＲＵＥ」、抑止しないときは「ＦＡＬＳＥ」となる。フレームレート３０ｆｐｓに設定されたときにフラグは「ＦＡＬＳＥ」、２１０ｆｐｓに設定されたときにフラグは「ＴＲＵＥ」となる。また録音開始初回フラグは、音声データを動画データに付加する処理において、付加する音声データをダミー音声から実音声への切替えるタイミングを判断するフラグである。具体的には、フレームレートが２１０ｆｐｓから３０ｆｐｓへ切替わるタイミングをダミー音声から実音声への切替えるタイミングとして判断する。ダミー音声から実音声へ切替えるときに「ＴＲＵＥ」、それ以外は「ＦＡＬＳＥ」となる。ダミー音声挿入フラグは、動画データにダミー音声を付加するか否かを判断するフラグである。ダミー音声挿入フラグは、録音抑止フラグと録音開始初回フラグにより判断される。録音抑止フラグが「ＴＲＵＥ」且つ録音開始初回フラグが「ＦＡＬＳＥ」のときに「ＴＲＵＥ」となり、録音抑止フラグが「ＦＡＬＳＥ」且つ録音開始初回フラグが「ＴＲＵＥ」のときに「ＦＡＬＳＥ」となる。
【００３１】
フレームレートが３０ｆｐｓに設定されているとき、録音開始初回フラグは「ＦＡＬＳＥ」、録音抑止フラグは「ＦＡＬＳＥ」となる。このときは、動画データに実音声の音声データが付加される。そして、フレームレートが３０ｆｐｓから２１０ｆｐｓに切替わると、録音開始初回フラグは「ＦＡＬＳＥ」、録音抑止フラグは「ＴＲＵＥ」となる。また、ダミー音声挿入フラグは「ＴＲＵＥ」となる。これにより、実音声の音声データの代わりに、ダミー音声の音声データが動画データに付加される。
【００３２】
なお、実音声の音声データは、音声一時メモリ６に継続して記憶される。これは、再びフレームレートが３０ｆｐｓに戻った直後に、実音声の音声データを動画データに付加することができなくなることを防止するためである。また、この音声データは、所定時間が経過すると順次削除され、音声一時メモリ６には、常に一定量の最新の音声データのみが記憶される。これは、ダミー音声の音声データのみを動画データに付加する処理を行っている間に蓄積された実音声の音声データにより音声一時メモリ６が溢れてしまうことを防ぐためである。そのため、ダミー音声の音声データを動画データに付加する間も、実音声の音声データを音声一時メモリ６に記憶する処理を継続しながら、所定時間が経過すると記憶した実音声の音声データを古いものから順次削除する処理を行うようにしている（ただし図２では、実音声の音声データが継続して記憶される様子のみを示している）。また、このような処理を行うことにより、フレームレート切替え直後における音声データの整合性を保つこともできる。
【００３３】
また、フレームレートが２１０ｆｐｓから３０ｆｐｓに切替わると、録音開始初回フラグは「ＴＲＵＥ」、録音抑止フラグは「ＦＡＬＳＥ」となる。また、ダミー音声挿入フラグは「ＦＡＬＳＥ」となる。これにより、ダミー音声の音声データの代わりに、実音声の音声データが動画データに付加される。なお、フレームレートを２１０ｆｐｓから３０ｆｐｓに切替えた直後に、音声データと動画データの同期ずれが起きないようにするため、フレームレートを２１０ｆｐｓから３０ｆｐｓに切替える際は、ダミー音声の音声データに代わって実音声の音声データを動画データに付加する前に、動画のフレームと同期をとるようにして実音声の音声データを付加する。この音声データと動画データの同期ずれは、いわゆるリップシンクずれの原因となる。このような処理を行うことにより、フレームレートを２１０ｆｐｓから３０ｆｐｓに切替えた直後の音声データと動画データからリップシンクずれが発生することを防ぐことができる。
【００３４】
次に、本実施の形態のデジタルカメラ１００において、動画ファイル作成時における制御部１３の処理内容を図３のフローチャートにより説明する。なお、以下の処理は、図１に示す制御部１３が各部を制御することにより実行される。また、本フローチャートの処理は、ユーザが各種操作ボタン１２のモード設定ボタンを操作して、動画撮影中にフレームレートを３０ｆｐｓ−２１０ｆｐｓの間で変更可能な動画撮影モードに設定した後、撮影開始／停止ボタン９を操作して撮影の開始を指示することによりスタートする。
【００３５】
まず、ステップＳ１において、制御部１３は、撮像部２から出力された動画データを動画一時メモリ５に逐次記憶する処理を開始し、また音声入出力部４から出力された音声データを音声一時メモリ６に逐次記憶する処理を開始する。ステップＳ２において、制御部１３は、現在設定されているフレームレートが３０ｆｐｓか否かを判断する。撮影中にフレームレート切替えボタン１０が操作されなければ、フレームレートは変更されない。フレームレートが３０ｆｐｓである場合はステップＳ３へ進む（ステップＳ２：ＹＥＳ）。フレームレート切替えボタン１０が操作されるなどして、フレームレートが３０ｆｐｓから変更されている場合は、ステップＳ８へ進む（ステップＳ２：ＮＯ）。
【００３６】
ステップＳ３において、制御部１３は、記録／再生データ作成部３を制御して、動画一時メモリ５及び音声一時メモリ６に逐次記憶される動画データ及び実音声の音声データを３０ｆｐｓのフレームレートのデータとして順に圧縮符号化するとともに、動画データに実音声の音声データを付加して、メモリカード７に逐次記憶する。
【００３７】
ステップＳ４において、制御部１３は、撮影終了の指示を検出したか否かを判断する。ここでは、撮影開始／停止ボタン９の操作による撮影終了の指示を検出しなければ、処理はステップＳ５へ進み（ステップＳ４：ＮＯ）、撮影終了の指示を検出したときは、ステップＳ７へ進む（ステップＳ４：ＹＥＳ）。
【００３８】
ステップＳ５において、制御部１３は、フレームレートの変更指示を検出したか否かを判断する。ここでは、フレームレート切替えボタン１０の操作によるフレームレートの変更指示を検出していないと判断すると、ステップＳ３へ戻り（ステップＳ５：ＮＯ）、動画データに実音声の音声データを付加してメモリカード７に逐次記憶する処理を繰り返す。一方、フレームレートの変更指示を検出したと判断すると、ステップＳ６へ進む（ステップＳ５：ＹＥＳ）。ステップＳ６において、制御部１３は、フレームレートを２１０ｆｐｓに変更して、ステップＳ２へ戻る。
【００３９】
また、ステップＳ４の判断でＹＥＳであれば、処理はステップＳ７へ進み、制御部１３は、それまでの間にメモリカード７に記憶した動画データ及び音声データについて、ファイル名、撮影日時、フレームレート等の情報を含むヘッダ情報を付加し、メモリカード７内に動画ファイルとしてファイル化する。
【００４０】
一方、ステップＳ２の判断でＮＯであれば、ステップＳ８において、制御部１３は、記録／再生データ作成部３を制御して、動画一時メモリ５に逐次記憶される動画データを２１０ｆｐｓのフレームレートのデータとして順に圧縮符号化するとともに、動画データにダミー音声の音声データを付加して、メモリカード７に逐次記憶する。
【００４１】
続く、ステップＳ９において、制御部１３は、撮影終了の指示を検出したか否かを判断する。ここでは、撮影開始／停止ボタン９の操作による撮影終了の指示を検出しなければ、処理はステップＳ１０へ進み（ステップＳ９：ＮＯ）、撮影終了の指示を検出したときは、処理はステップＳ７へ進む（ステップＳ９：ＹＥＳ）。先のステップＳ８において、動画データにダミー音声の音声データを付加してメモリカード７に逐次記憶した場合、ステップＳ７では、それまでの間にメモリカード７に記憶した動画データ及びダミー音声の音声データについて、ファイル名、撮影日時、フレームレート等の情報を含むヘッダ情報を付加し、メモリカード７内に動画ファイルとしてファイル化する。
【００４２】
ステップＳ１０において、制御部１３は、フレームレートの変更指示を検出したか否かを判断する。ここでは、フレームレート切替えボタン１０の操作によるフレームレートの変更指示を検出しなければ、処理はステップＳ８へ戻り（ステップＳ１０：ＮＯ）、動画データにダミー音声の音声データを付加してメモリカード７に逐次記憶する処理を繰り返す。一方、フレームレートの変更指示を検出していれば、処理はステップＳ１１へ進む（ステップＳ１０：ＹＥＳ）。ステップＳ１１において、制御部１３は、フレームレートを３０ｆｐｓに変更して、ステップＳ２へ戻る。
【００４３】
本実施の形態のデジタルカメラ１００は、少なくとも以下のような効果を有する。
（１）再生フレームレート（３０ｆｐｓ）での撮影時には動画データに実音声の音声データを付加し、高フレームレート（２１０ｆｐｓ）での撮影時には動画データにダミー音声の音声データを付加するようにしたので、再生時に３０ｆｐｓのフレームレートで撮影した動画では実音声が再生され、２１０ｆｐｓのフレームレートで撮影した動画に切替わったときには、無音声の再生となる。したがって、フレームレートを変更しながら撮影した動画を再生する場合において、聞き取りづらい音声が再生されないようにすることができる。
（２）従来技術において、音声データのヘッダ情報に同期情報を埋め込んだ形でファイル化した場合は、再生装置によっては同期がとれないため、音声と同期のとれた動画の再生が難しいという課題があった。しかしながら、本実施の形態によれば、再生フレームレートでの撮影時には、動画データに同期のとれた実音声の音声データを付加するようにしているため、再生装置にかかわらず、音声と同期のとれた動画の再生が可能となる。例えば、一般的なパーソナルコンピュータに搭載された動画再生アプリケーション等でも、特別な処理を施すことなしに音声と同期のとれた動画の再生が可能となる。
（３）動画撮影中における音声の符号化処理は、フレームレートの切替えのタイミングで止めたり、再開したりする必要がなく、通常の動画撮影時と同じでよいため、ＣＰＵの処理負担を軽減することができる。
（４）高フレームレートでの撮影時には、動画データに無音声として出力されるダミー音声を付加するようにしたので、通常の再生フレームレートでの撮影時に付加される実音声に対して違和感を少なくすることができる。
（５）通常の再生フレームレートでの撮影時には動画データに実音声の音声データを付加するようにしたので、再生フレームレート及び高フレームレートのいずれも無音声とする場合に比べて、より臨場感のある動画再生が可能となる。
（６）高フレームレートでの撮影時には、動画データに付加されることのない、音声一時メモリ６に記憶した実音声の音声データを所定タイミングで順次削除するようにしたので、高フレームレートから再生フレームレートに切替わった直後に、実音声の音声データを動画データに付加することが容易となる。また、フレームレート切替え直後における音声データの整合性を保つこともできる。更に、音声一時メモリ６の記憶容量を大きくする必要がないので、コスト増を招くことがない。
（７）動画撮像時に用いられる３０ｆｐｓのフレームレートを、液晶表示装置８で通常設定される再生フレームレートとしたので、高フレームレートで高速撮影された動画を通常の再生フレームレートで再生することにより、高速撮影された動画をより効果的にスロー再生することができる。
【００４４】
以上、本発明の実施の形態について説明したが、本発明は上記実施の形態に限定されるものではない。すなわち、以下に示すような、本発明の目的を達成できる範囲での変形、改良等は本発明に含まれるものである。
（１）動画撮影中にフレームレートを変更可能な動画撮影モードとして、フレームレート３０ｆｐｓ−２１０ｆｐｓの間で変更可能とした例について説明したが、本発明はこれに限らず、更に高フレームレートに変更可能な動画撮影モードにも適用することもできる。
（２）動画データに付加するダミーデータとして、無音声として出力されるダミー音声を付加する例について説明したが、ダミーデータとして複数種類の効果音やＢＧＭ（楽曲）を音声データとして用意しておき、これらを適宜選択して動画データに付加するようにしてもよい。
（３）上述した制御部１３の機能の一部又はすべてについて、制御部１３と並列に動作する他の制御部を、本発明に係わる撮影プログラムに従って動作させることにより実現するようにしてもよい。
（４）本発明は、デジタルビデオカメラ又はデジタルカメラに限らず、動画の撮影及び再生機能を備えたデジタルスチルカメラやカメラ付き携帯電話機にも適用することができる。また、撮影された動画の再生のみが可能な他の装置、例えば一般的な構成を備えた汎用のパーソナルコンピュータについても、本発明に係わる撮影プログラムを搭載することにより適用可能である。
【符号の説明】
【００４５】
１  光学系
２  撮像部
３  記録／再生データ作成部
４  音声入出力部
５  動画一時メモリ
６  音声一時メモリ
７  メモリカード
８  液晶表示装置
９  撮影開始／停止ボタン
１０  フレームレート切替えボタン
１１  再生ボタン
１２  各種操作ボタン
１３  制御部
１００  デジタルカメラ
【図１】
2011035637.tif 000003
【図２】
2011035637.tif 000004
【図３】
2011035637.tif 000005